(57)【要約】【課題】ロイヤリティに応じた品質の複製絵画の出力を管理する。【解決手段】サーバ装置と出力装置とを有する情報処理システムであって、絵画原本を撮像した撮像データと、前記絵画原本の複製絵画を示す複製絵画データの出力条件と、に基づき生成された、前記出力条件毎の複製絵画データが格納された複製絵画情報記憶部と、前記複製絵画データ毎の出力状況を示す管理情報が格納された管理情報記憶部と、前記複製絵画データの出力要求を受け付けた場合に、前記管理情報に基づき前記複製絵画データの出力が可能と判定された場合に、出力要求を受けた前記複製絵画データを前記出力装置へ出力する画像出力部と、を有する。【選択図】図１
2020086951.tif 000002
【特許請求の範囲】
【請求項１】
サーバ装置と出力装置とを有する情報処理システムであって、
絵画原本を撮像した撮像データと、前記絵画原本の複製絵画を示す複製絵画データの出力条件と、に基づき生成された、前記出力条件毎の複製絵画データが格納された複製絵画情報記憶部と、
前記複製絵画データ毎の出力状況を示す管理情報が格納された管理情報記憶部と、
前記複製絵画データの出力要求を受け付けた場合に、前記管理情報に基づき前記複製絵画データの出力が可能と判定された場合に、出力要求を受けた前記複製絵画データを前記出力装置へ出力する画像出力部と、を有する情報処理システム。
【請求項２】
前記管理情報は、
前記複製絵画データが示す複製絵画を出力する度に生じる、前記絵画原本に対するロイヤリティを示す情報を含む、請求項１記載の情報処理システム。
【請求項３】
前記出力条件は、前記複製絵画による、前記絵画原本の再現の度合いに応じた条件である、請求項１又は２記載の情報処理システム。
【請求項４】
前記管理情報は、
前記出力装置から出力される複製絵画の出力枚数の上限枚数を示す情報と、前記複製絵画の出力が可能な期間を示す情報と、前記出力装置において出力可能な前記複製絵画の枚数を示す情報と、を含み、
前記出力要求を受けた日時と、前記出力装置において出力可能な前記複製絵画の枚数と、前記上限枚数と、に基づき、前記出力装置に前記複製絵画データを出力するか否かを判定する出力可否判定部と、
前記出力装置に前記複製絵画データを出力した場合に、前記管理情報における前記出力装置において出力可能な前記複製絵画の枚数を、前記複製絵画を出力した枚数分減算する、管理情報更新部と、を有する、請求項１乃至３の何れか一項に記載の情報処理システム。
【請求項５】
前記絵画原本の前記撮像データから前記複製絵画データを生成する複製絵画情報生成部を有し、
前記複製絵画情報生成部は、前記絵画原本を撮像した日時を示す情報を含む透かし情報を、前記複製絵画データに埋め込む、請求項１乃至４の何れか一項に記載の情報処理システム。
【請求項６】
前記透かし情報は、前記絵画原本の所有者を特定する情報、前記絵画原本を撮像した場所を示す情報を含む、請求項５記載の情報処理システム。
【請求項７】
前記複製絵画における凹凸を示す立体情報を取得する立体情報取得部を有し、
前記複製絵画情報生成部は、
前記立体情報を用いて前記複製絵画データを生成する、請求項５又は６記載の情報処理システム。
【請求項８】
前記絵画原本から、複数パターンの前記出力条件毎に生成された複製絵画データのそれぞれについての前記管理情報を出力する、請求項１乃至７の何れか一項に記載の情報処理システム。
【請求項９】
前記出力装置を含み、
前記出力装置は、立体造形装置である、請求項１乃至８の何れか一項に記載の情報処理システム。
【請求項１０】
絵画原本を撮像した撮像データと、前記絵画原本の複製絵画を示す複製絵画データの出力条件と、に基づき生成された、前記出力条件毎の複製絵画データが格納された複製絵画情報記憶部と、
前記複製絵画データ毎の出力状況を示す管理情報が格納された管理情報記憶部と、
前記複製絵画データの出力要求を受け付けた場合に、前記管理情報に基づき前記複製絵画データの出力が可能と判定された場合に、出力要求を受けた前記複製絵画データを出力装置へ出力する画像出力部と、を有するサーバ装置。
【請求項１１】
絵画原本を撮像した撮像データと、前記絵画原本の複製絵画を示す複製絵画データの出力条件と、に基づき、前記出力条件毎に生成した複製絵画データを複製絵画情報記憶部に格納する処理と、
前記複製絵画データ毎の出力状況を示す管理情報を管理情報記憶部に格納する処理と、
前記複製絵画データの出力要求を受け付けた場合に、前記管理情報に基づき前記複製絵画データの出力が可能と判定された場合に、出力要求を受けた前記複製絵画データを出力装置へ出力する処理と、をコンピュータに実行させる情報処理プログラム。
【発明の詳細な説明】
【技術分野】
【０００１】
本発明は、情報処理システム、サーバ装置及び情報処理プログラムに関する。
【背景技術】
【０００２】
従来では、絵画の原本から複製絵画（デジタルアート）を生成して販売するシステムが知られている。このようなシステムでは、例えば、複製絵画を販売する販売者側のサーバのデータベースに、複製絵画データを保管し、注文に応じて複製絵画データに基づき複製絵画の印刷を行っている。
【発明の概要】
【発明が解決しようとする課題】
【０００３】
上述した従来の技術では、複製の精度の設定や、絵画原本の権原（所有権や著作権等）を有する所有者に対するロイヤリティの支払い等が考慮されていない。
【０００４】
開示の技術は、このような事情に鑑みてなされたものであり、ロイヤリティに応じた品質の複製絵画の出力を管理することを目的としている。
【課題を解決するための手段】
【０００５】
開示の技術は、サーバ装置と出力装置とを有する情報処理システムであって、絵画原本を撮像した撮像データと、前記絵画原本の複製絵画を示す複製絵画データの出力条件と、に基づき生成された、前記出力条件毎の複製絵画データが格納された複製絵画情報記憶部と、前記複製絵画データ毎の出力状況を示す管理情報が格納された管理情報記憶部と、前記複製絵画データの出力要求を受け付けた場合に、前記管理情報に基づき前記複製絵画データの出力が可能と判定された場合に、出力要求を受けた前記複製絵画データを前記出力装置へ出力する画像出力部と、を有する。
【発明の効果】
【０００６】
ロイヤリティに応じた品質の複製絵画の出力を管理できる。
【図面の簡単な説明】
【０００７】
【図１】第一の実施形態の情報処理システムのシステム構成の一例を示す図である。
【図２】サーバ装置のハードウェア構成の一例を示す図である。
【図３】第一の実施形態の原本絵画情報記憶部の一例を示す図である。
【図４】第一の実施形態の複製絵画情報記憶部の一例を示す図である。
【図５】第一の実施形態の管理情報記憶部の一例を示す図である。
【図６】第一の実施形態のサーバ装置の機能を説明する図である。
【図７】第一の実施形態のサーバ装置の動作を説明する第一のフローチャートである。
【図８】第一の実施形態のサーバ装置の処理を説明する第二のフローチャートである。
【図９】複製絵画の管理状態を示す情報の表示例を示す図である。
【図１０】第二の実施形態の情報処理システムのシステム構成の一例を示す図である。
【図１１】第二の実施形態の複製絵画情報記憶部の一例を示す図である。
【図１２】第二の実施形態のサーバ装置の機能を説明する図である。
【図１３】第二の実施形態のサーバ装置の動作を説明するフローチャートである。
【発明を実施するための形態】
【０００８】
（第一の実施形態）
以下に図面を参照して第一の実施形態について説明する。図１は、第一の実施形態の情報処理システムのシステム構成の一例を示す図である。
【０００９】
本実施形態の情報処理システム１００は、サーバ装置２００、出力装置３００−１、３００−２、３００−３を含む。また、情報処理システム１００のサーバ装置２００は、撮像システム４００及び情報処理装置５００とも通信を行う。
【００１０】
本実施形態のサーバ装置２００は、撮像システム４００によって撮影された絵画原本の撮像データを取得し、撮像データを解析して生成した原本絵画データを蓄積する。また、サーバ装置２００は、撮像データから、様々な品質の複製絵画を出力するための複製絵画データを生成し、蓄積する。原本絵画データと複製絵画データの詳細は、後述する。
【００１１】
さらに、本実施形態のサーバ装置２００は、情報処理装置５００から複製絵画の出力要求を受け付けると、要求された複製絵画と対応する複製絵画データを、出力装置３００−１、３００−２、３００−３の何れかの出力装置から出力させる。
【００１２】
具体的には、サーバ装置２００は、原本絵画情報記憶部２１０、複製絵画情報記憶部２２０、管理情報記憶部２３０、情報処理部２４０を有する。
【００１３】
情報処理部２４０は、画像処理部２５０と、印刷管理部２６０と、画像出力部２７０と、を有する。画像処理部２５０は、撮像システム４００から取得した撮像データから、原本絵画データを含む原本絵画情報と、複製絵画データを含む複製絵画情報とを生成して原本絵画情報記憶部２１０と複製絵画情報記憶部２２０へ蓄積する。
【００１４】
印刷管理部２６０は、情報処理システム１００の管理者等と、絵画原本の所有者との契約に関する情報に応じて、複製絵画の出力枚数等を管理する。尚、以下の説明では、絵画原本の所有者とは、絵画原本の権原（所有権や著作権等）を有する所有者を示す。
【００１５】
画像出力部２７０は、印刷管理部２６０により複製絵画の出力が可能とされた場合に、複製絵画と対応する複製絵画データを出力装置３００に出力する。
【００１６】
本実施形態の出力装置３００−１、３００−２、３００−３は、例えば、インクジェット方式の立体造形装置である。立体造形装置とは、再現する造形物のデータに基づいて記録媒体上に液滴を吐出して硬化させて造形層を形成し、複数の造形層を積層することで立体の造形物を得る。
【００１７】
以下の説明では、出力装置３００−１、３００−２、３００−３を区別しない場合には、出力装置３００と呼ぶ。また、情報処理システム１００に含まれる出力装置３００の台数は、図１に示す３台に限定されず、任意の数であって良い。
【００１８】
本実施形態の出力装置３００は、サーバ装置２００からの出力指示に応じて、サーバ装置２００から送信された絵画データを出力する。言い換えれば、出力装置３００は、サーバ装置２００からの出力指示に応じて、絵画データに基づく複製絵画を出力する。
【００１９】
本実施形態の撮像システム４００は、撮像装置等が含まれており、例えば、絵画原本が展示されている場所等において、絵画原本を撮像するためのシステムである。撮像データは、例えば、サーバ装置２００と撮像システム４００との通信によって、撮像システム４００からサーバ装置２００へ送信されても良い。また、撮像データは、例えば、撮像システム４００において、記録媒体に格納され、サーバ装置２００によってこの記録媒体から読み出されても良い。
【００２０】
また、本実施形態の撮像システム４００は、赤外線カメラ等を含んでおり、赤外線を絵画原本の中（内部の層）を解析した情報を、撮像データと対応付けて蓄積しても良い。これにより、絵画の後ろに何が描かれているかを把握することができるため、複製絵画の購入者にとって価値のある情報を提供できる。
【００２１】
情報処理装置５００は、情報処理システム１００に対して複製絵画の出力要求を行う端末である。本実施形態の情報処理装置５００は、例えば、情報処理システム１００によって提供されるサービスを利用して複製絵画の販売を行う販売者等が用いる端末等であっても良い。
【００２２】
また、本実施形態では、出力装置３００と情報処理装置５００とが、販売者側に設けられており、販売者は、サーバ装置２００によって提供されるサービスを利用するようにしても良い。
【００２３】
このように、本実施形態では、絵画原本の撮像データから生成した複製絵画データに基づく複製絵画を出力する際に、絵画原本の所有者との契約に関する情報（契約情報）に応じて、複製絵画の出力枚数等を管理する。したがって、本実施形態によれば、ロイヤリティに応じた品質の複製絵画の出力を管理することができる。
【００２４】
尚、図１の例では、原本絵画情報記憶部２１０、複製絵画情報記憶部２２０、管理情報記憶部２３０が情報処理部２４０と共にサーバ装置２００に設けられるものとしたが、これに限定されない。原本絵画情報記憶部２１０、複製絵画情報記憶部２２０、管理情報記憶部２３０は、サーバ装置２００以外の装置に格納されていても良い。また、本実施形態の情報処理部２４０は、複数台の装置によって実現されても良い。
【００２５】
以下に、本実施形態のサーバ装置２００について説明する。図２は、サーバ装置のハードウェア構成の一例を示す図である。
【００２６】
本実施形態のサーバ装置２００は、それぞれバスＢで相互に接続されている入力装置２１、出力装置２２、ドライブ装置２３、補助記憶装置２４、メモリ装置２５、演算処理装置２６及びインターフェース装置２７を含む。
【００２７】
入力装置２１は、各種の情報の入力を行うための装置であり、例えばキーボードやポインティングデバイス等により実現される。出力装置２２は、各種の情報の出力を行うためものであり、例えばディスプレイ等により実現される。インターフェース装置２７は、ＬＡＮカード等を含み、ネットワークに接続する為に用いられる。
【００２８】
本実施形態の情報処理プログラムは、サーバ装置２００を制御する各種プログラムの少なくとも一部である。情報処理プログラムは例えば記憶媒体２８の配布やネットワークからのダウンロード等によって提供される。情報処理プログラムを記録した記憶媒体２８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００２９】
また、情報処理プログラムは、情報処理プログラムを記録した記憶媒体２８がドライブ装置２３にセットされると、記憶媒体２８からドライブ装置２３を介して補助記憶装置２４にインストールされる。ネットワークからダウンロードされた情報処理プログラムは、インターフェース装置２７を介して補助記憶装置２４にインストールされる。
【００３０】
補助記憶装置２４は、インストールされた情報処理プログラムを格納すると共に、上述した各データベース等の必要なファイル、データ等を格納する。メモリ装置２５は、サーバ装置２００の起動時に補助記憶装置２４から情報処理プログラムを読み出して格納する。そして、演算処理装置２６はメモリ装置２５に格納された情報処理プログラムに従って、後述するような各種処理を実現している。
【００３１】
次に、図３乃至図５を参照して、サーバ装置２００の有する各記憶部について説明する。図３は、第一の実施形態の原本絵画情報記憶部の一例を示す図である。
【００３２】
本実施形態の原本絵画情報記憶部２１０に格納される原本絵画情報は、情報の項目として、原本絵画ＩＤ、オーナＩＤ、撮像日時、撮像場所、原本絵画データ、撮像データとを有し、項目「原本絵画ＩＤ」とその他の項目とが対応付けられている。
【００３３】
項目「原本絵画ＩＤ」の値は、絵画原本の撮像データから生成される原本絵画データを特定するための識別情報である。項目「オーナＩＤ」の値は、絵画原本の所有者を特定するための識別情報である。項目「撮像日時」の値は、絵画原本の画像を撮像したときの日時を示す。項目「撮像場所」の値は、絵画原本を撮像した場所を示す。
【００３４】
尚、以下の説明では、原本絵画情報のうち、項目「原本絵画データ」以外の項目の値を含む情報をオリジナル情報と呼ぶ場合がある。つまり、オリジナル情報とは、絵画原本の原本絵画ＩＤ、撮像データ、撮像日時、撮像場所、オーナＩＤを含む。
【００３５】
項目「原本絵画データ」の値は、撮像データから生成された絵画原本データを示す。項目「撮像データ」の値は、撮像システム４００から取得した撮像データそのものを示す。
【００３６】
図３の例では、原本絵画ＩＤ「１」の絵画原本は、オーナＩＤ「１０１」の所有者によって所有されており、２０１０年１０月１日の１５：００に、○○美術館で撮像システム４００により撮像され、原本絵画データが生成されたことがわかる。
【００３７】
このように、本実施形態では、絵画原本を撮像した日時や場所を、撮像データ及び原本絵画データと対応付けて格納することで、例えば、絵画原本の状態と、その年代とを対応付けて管理することができる。
【００３８】
本実施形態の原本絵画情報は、撮像システム４００によって絵画原本の撮像が行われる度に、更新されるものとした。
【００３９】
図４は、第一の実施形態の複製絵画情報記憶部の一例を示す図である。本実施形態の複製絵画情報記憶部２２０は、原本絵画ＩＤ毎に設けられる情報であり、情報の項目として、原本絵画ＩＤ、複製絵画ＩＤ、出力条件、単価、出力可能期間、上限枚数、複製絵画データを有する。
【００４０】
項目「複製絵画ＩＤ」の値は、原本絵画ＩＤが特定する絵画原本の撮像データから生成される複製絵画データを特定するための識別情報である。
【００４１】
項目「出力条件」の値は、複製絵画データと対応付けられた出力条件である。本実施形態の出力条件とは、絵画原本の撮像データから複製絵画データを生成する際に、例えば、絵画原本の所有者の許可を得た上で設定される。
【００４２】
本実施形態では、項目「出力条件」には、複数の条件が含まれている。具体的には、複数の条件は、例えば、「サイズ」や「積層数」を含む。その他にも、光沢の有無、画素数、等、画像処理に関する様々な項目が設定されて良い。
【００４３】
項目「単価」の値は、複製絵画ＩＤで特定される複製絵画データを出力装置３００から出力することで生成される複製絵画１枚の単価である。言い換えれば、項目「単価」の値は、複製絵画を出力する度に発生する、絵画原本に対するロイヤリティを示す情報である。
【００４４】
項目「出力可能期間」の値は、複製絵画データに基づき複製絵画を出力（生成）することが許可されている期間を特定する。項目「上限枚数」の値は、複製絵画データに基づき複製絵画を出力することが許可されている複製絵画の出力枚数の上限値を示す。
【００４５】
複製絵画情報記憶部２２０における項目「出力条件」、「単価」、「出力可能期間」、「上限枚数」は、絵画原本の所有者と、情報処理システム１００の管理者との契約等によって決定される。言い換えれば、項目「出力条件」、「単価」、「出力可能期間」、「上限枚数」の値を含む情報は契約情報の一例である。
【００４６】
項目「複製絵画データ」の値は、絵画原本の撮像データから生成された複製絵画データを示す。つまり、本実施形態の複製絵画データは、１つの絵画原本から、複数パターンの出力条件毎に作成されるデータである。
【００４７】
ここで、本実施形態の原本絵画データと複製絵画データについて説明する。
【００４８】
本実施形態の原本絵画データと複製絵画データは、例えば、絵画原本を撮像した撮像データを、色分解処理等の解析処理によって分解した各画像データに、高さ情報を付与した情報である。
【００４９】
つまり、撮像データを色毎に分解した画像を、出力装置３００で形成される一層の造形層により形成される画像とした場合、原本絵画データと複製絵画データは、一層の造形層を形成する画像の画像データの集合となる。以下の説明では、造形層を形成する画像の画像データの数のことを造形層の積層数と呼ぶ場合がある。
【００５０】
本実施形態では、絵画原本の撮像データを高精度に分解するほど、絵画原本の有する凹凸の状態を、より高い精度で再現できることになる。
【００５１】
以下の説明では、原本絵画データに含まれる、造形層を形成する画像の画像データの数を、原本絵画データの造形層の積層数と呼び、複製絵画データに含まれる、造形層を形成する画像の画像データの数を、複製絵画データの造形層の積層数と呼ぶ場合がある。本実施形態では、原本絵画データの造形層の積層数が最も大きくなるものとした。
【００５２】
したがって、原本絵画データに基づき出力装置３００から出力した造形物は、複製絵画データに基づき出力装置３００から出力した造形物と比較して、絵画原本の再現精度が最も高くなる。
【００５３】
このため、例えば、絵画原本の所有者が、原本絵画データを用いた複製絵画の販売を許可している場合には、高精度に絵画原本が再現された複製絵画を提供することができる。また、例えば、絵画原本の所有者が、複製絵画の再現性の精度の制限を要求した場合には、出力条件の積層数が調整された複製絵画データに基づき生成された複製絵画を提供することができる。尚、本実施形態の原本絵画データは、複製絵画データの一部であると言える。
【００５４】
尚、本実施形態では、主に積層数によって複製絵画の再現性の精度の調整が行われるものとしたが、複製絵画の再現性の精度の調整は、出力条件の他の項目によって行われても良い。
【００５５】
また、本実施形態では、絵画原本の所有者が、複製絵画データの出力条件毎に、複製絵画の単価や出力可能期間、上限枚数を設定することができる。
【００５６】
図４の例では、原本絵画ＩＤ「１」の絵画原本の撮像データから生成された複製絵画情報が格納されている。
【００５７】
具体的には、図４の例では、原本絵画ＩＤ「１」の絵画原本の撮像データから、複製絵画ＩＤ「１００１」、「１００２」の複製絵画データが生成されたことがわかる。
【００５８】
複製絵画ＩＤ「１００１」の複製絵画データは、絵画原本の撮像データから、２０×３０センチであり、積層数を××層としたデータであり、複製絵画ＩＤ「１００１」の複製絵画データに基づく複製絵画は、１枚１０，０００円であり、出力可能期間が２０１８年１１月１日から１１月１０日までであり、その期間中に出力する複製絵画の上限値は２００枚とされていることがわかる。
【００５９】
また、画ＩＤ「１００２」の複製絵画データは、絵画原本の撮像データから、６０×９０センチであり、積層数を××層よりも多い×○層としたデータであり、複製絵画ＩＤ「１００２」の複製絵画データに基づく複製絵画は、１枚５０，０００円であり、出力可能期間が２０１８年１１月１日から１１月３０日までであり、その期間中に出力する複製絵画の上限値は１００枚とされていることがわかる。
【００６０】
本実施形態では、複製絵画情報は、絵画原本の撮像データに対して新たな出力条件の複製絵画データの生成が指示された場合や、複製絵画情報の単価、出力可能期間、上限枚数等が変更された場合に更新される。
【００６１】
図５は、第一の実施形態の管理情報記憶部の一例を示す図である。本実施形態の管理情報記憶部２３０は、複製絵画ＩＤ毎に設けられる情報であり、情報の項目として、機器ＩＤ、割当枚数、出力可能枚数を示す。
【００６２】
項目「機器ＩＤ」の値は、情報処理システム１００に含まれる出力装置３００を特定するための識別情報である。項目「割当枚数」の値は、機器ＩＤで特定される出力装置３００に割り当てられた、複製絵画の出力枚数の上限値を示す。
【００６３】
項目「出力可能枚数」の値は、機器ＩＤで特定される出力装置３００において、許可されている複製絵画の出力枚数である。したがって、項目「出力可能枚数」の値は、出力装置３００が複製絵画を出力する度に、出力した複製絵画の枚数に応じて減算されていく。
【００６４】
本実施形態では、情報処理システム１００に含まれる各出力装置３００に対して、複製絵画ＩＤで特定される複製絵画の出力枚数の上限値内となるように、複製絵画の出力枚数を割り当てる。
【００６５】
この割当ては、予め、情報処理システム１００の管理者が決めていても良い。また、この割当ては、例えば、出力装置３００が情報処理装置５００と共に複製絵画の販売を行う販売者側に設けられている場合には、サーバ装置２００の管理者と、販売者側との取り決めによって決定されても良い。
【００６６】
図５の例では、機器ＩＤ「１０」で特定される出力装置３００には、複製絵画ＩＤ「１００１」の複製絵画データに基づき複製絵画の出力枚数として、１００枚が割り当てられており、残り８０枚の複製絵画が出力可能であることがわかる。つまり、機器ＩＤ「１０」で特定される出力装置３００からは、２０枚の複製絵画が出力されたことがわかる。
【００６７】
つまり、本実施形態の管理情報記憶部２３０に格納される管理情報は、出力装置３００毎の複製絵画の印刷履歴を示す情報の一例とも言える。言い換えれば、管理情報は、出力条件毎の複製絵画データの出力状況を示す情報とも言える。
【００６８】
次に、図６を参照して、第一の実施形態のサーバ装置２００の機能について説明する。図６は、第一の実施形態のサーバ装置の機能を説明する図である。
【００６９】
本実施形態のサーバ装置２００は、情報処理部２４０を有し、情報処理部２４０は、画像処理部２５０、印刷管理部２６０、画像出力部２７０を有する。
【００７０】
本実施形態の画像処理部２５０は、撮像データ取得部２５１、画像解析部２５２、原本絵画情報生成部２５３、出力条件設定部２５４、契約情報取得部２５５、複製絵画情報生成部２５６を有する。
【００７１】
撮像データ取得部２５１は、撮像システム４００によって撮像された絵画原本の撮像データを取得する。撮像データ取得部２５１は、撮像システム４００から通信によって撮像データを受信しても良いし、撮像システム４００において記録媒体に格納された撮像データを記録媒体から読みだしても良い。
【００７２】
画像解析部２５２は、撮像データを解析して、造形層を形成する画像の画像データを造形層毎に生成する。
【００７３】
原本絵画情報生成部２５３は、画像解析部２５２により生成された造形層毎の画像データの集合である原本絵画データと、撮像データの撮像日時、撮像場所、絵画原本のオーナのオーナＩＤ、撮像データとを対応付けた原本絵画情報を生成し、原本絵画情報記憶部２１０に格納する。
【００７４】
出力条件設定部２５４は、複製絵画データを生成するときの出力条件を設定する。出力条件設定部２５４は、出力条件受付部２５８と、出力条件保持部２５９と、を有する。出力条件受付部２５８は、出力条件の入力を受け付ける。出力条件は、例えば、情報処理システム１００の管理者等によって入力されても良い。
【００７５】
出力条件保持部２５９は、入力された出力条件を保持する。このとき、出力条件保持部２５９は、入力された出力条件に、複製絵画ＩＤを付与し、予め出力条件と、この出力条件にしたがって生成される複製絵画データとを対応付けておいても良い。
【００７６】
契約情報取得部２５５は、絵画原本のオーナと、情報処理システム１００の管理者等との間で締結された契約に関する情報である契約情報を取得する。契約情報とは、具体的には、複製絵画ＩＤ毎の出力条件、単価、出力可能期間、上限枚数等を含む情報である。本実施形態の契約情報取得部２５５は、例えば、情報処理システム１００の管理者等によって入力された契約情報を取得しても良いし、外部から送信された契約情報を契約情報取得部２５５が受信しても良い。
【００７７】
複製絵画情報生成部２５６は、出力条件設定部２５４によって設定された出力条件に応じて、絵画原本の撮像データから複製絵画データを生成する。また、複製絵画情報生成部２５６は、複製絵画ＩＤ毎の契約情報と複製絵画データとを対応付けた複製絵画情報を生成し、複製絵画情報記憶部２２０に格納する。
【００７８】
印刷管理部２６０は、出力要求受付部２６１、出力可否判定部２６２、出力指示部２６３、管理情報更新部２６４、管理情報出力部２６５を有する。
【００７９】
本実施形態の出力要求受付部２６１は、情報処理装置５００からの複製絵画の出力要求を受け付ける。具体的には、出力要求受付部２６１は、選択された複製絵画を示す複製絵画ＩＤと、出力枚数と、出力を行う出力装置３００の機器ＩＤと、を複製絵画の出力要求として受け付けても良い。
【００８０】
出力可否判定部２６２は、複製絵画の出力要求を受け付けると、管理情報記憶部２３０を参照して、機器ＩＤと対応する出力装置３００から、指定された枚数の複製絵画の出力が可能であるか否かを判定する。
【００８１】
出力指示部２６３は、出力可否判定部２６２の判定結果に応じて、画像出力部２７０に対する複製絵画の出力指示を行う。具体的には、出力指示部２６３は、選択された複製絵画ＩＤと対応する複製絵画データを、機器ＩＤによって特定される出力装置３００へ送信する。
【００８２】
管理情報更新部２６４は、複製絵画の出力に応じて、管理情報記憶部２３０を更新する。管理情報出力部２６５は、管理情報更新部２６４に格納された管理情報の出力指示を受け付けた場合に、管理情報を出力する。
【００８３】
画像出力部２７０は、出力指示部２６３による複製絵画の出力指示と、複製絵画データとを取得すると、特定された出力装置３００に対して複製絵画データを送信し、複製絵画を出力させる。
【００８４】
次に、図７及び図８を参照して、本実施形態のサーバ装置２００の動作を説明する。図７は、第一の実施形態のサーバ装置の動作を説明する第一のフローチャートである。図７に示す処理は、サーバ装置２００の画像処理部２５０による、原本絵画データと複製絵画データを蓄積する処理を示している。
【００８５】
本実施形態のサーバ装置２００は、画像処理部２５０の撮像データ取得部２５１により、絵画原本の撮像データを取得する（ステップＳ７０１）。続いて、画像処理部２５０は、画像解析部２５２により、撮像データの画像解析を行う（ステップＳ７０２）。
【００８６】
続いて、画像処理部２５０は、原本絵画情報生成部２５３により、画像解析の結果から、原本画像データを生成し、オリジナル情報と対応付けた原本絵画情報を生成して、原本絵画情報記憶部２１０に格納する（ステップＳ７０３）。
【００８７】
続いて、画像処理部２５０は、出力条件設定部２５４により、複製絵画の出力条件が設定されているか否かを判定する（ステップＳ７０４）。ステップＳ７０４において、出力条件が設定されていない場合、出力条件が設定されるまで待機する。
【００８８】
ステップＳ７０４において、出力条件が設定されると、画像処理部２５０は、複製絵画情報生成部２５６により、画像解析の結果を用いて複製絵画データを生成する（ステップＳ７０５）。
【００８９】
続いて、画像処理部２５０は、契約情報取得部２５５により、複製絵画ＩＤと対応付けられた契約情報を取得したか否かを判定する（ステップＳ７０６）。ステップＳ７０６において、契約情報が取得されていない場合、画像処理部２５０は、契約情報を取得するまで待機する。
【００９０】
ステップＳ７０６において、契約情報を取得した場合、複製絵画情報生成部２５６は、複製絵画データと、契約情報とを対応付けた複製絵画情報を生成し、複製絵画情報記憶部２２０に格納し（ステップＳ７０７）、処理を終了する。
【００９１】
尚、図７の例では、原本絵画情報の蓄積と、複製絵画情報の蓄積とを一連の処理として実行するものとしたが、これに限定されない。
【００９２】
本実施形態では、例えば、ステップＳ７０４において、複製絵画データの出力条件が設定されていない場合には、処理を終了しても良い。その場合、複製絵画データの出力条件が設定されたときに、ステップＳ７０５以降の処理を実行すれば良い。
【００９３】
本実施形態では、以上のようにして、絵画原本の撮像データから、原本絵画情報と複製絵画情報とを生成し、蓄積する。
【００９４】
次に、図８を参照して、本実施形態の情報処理システム１００における、複製絵画の出力について説明する。図８は、第一の実施形態のサーバ装置の処理を説明する第二のフローチャートである。図８では、サーバ装置２００が複製絵画の出力要求を受け付けた場合の印刷管理部２６０の処理を示している。
【００９５】
本実施形態の印刷管理部２６０は、出力要求受付部２６１により、複製絵画データの出力要求を受け付けたか否かを判定する（ステップＳ８０１）。ステップＳ８０１において、出力要求を受け付けない場合には、印刷管理部２６０は、出力要求を受け付けるまで待機する。
【００９６】
ステップＳ８０１において、出力要求を受け付けた場合、印刷管理部２６０は、出力可否判定部２６２により、管理情報記憶部２３０を参照し、出力要求として受け付けた出力装置３００の機器ＩＤの管理情報を参照する（ステップＳ８０２）。尚、出力要求受付部２６１は、出力要求として、複製絵画ＩＤと、出力装置３００の機器ＩＤと、出力枚数とを受け付ける。
【００９７】
続いて、出力可否判定部２６２は、出力要求を受け付けた日時が、出力可能期間内であるか否かを判定する（ステップＳ８０３）。ステップＳ８０３において、出力可能期間内でない場合、印刷管理部２６０は、出力要求の送信元である情報処理装置５００に対してエラーを通知し（ステップＳ８０４）、処理を終了する。
【００９８】
尚、このとき、印刷管理部２６０は、選択された複製絵画の出力可能期間外であることを示すメッセージ等を情報処理装置５００に通知しても良い。
【００９９】
ステップＳ８０３において、出力可能期間内であった場合、出力可否判定部２６２は、管理情報の出力可能枚数と出力枚数との和が、割当枚数未満であるか否かを判定する（ステップＳ８０５）。
【０１００】
ステップＳ８０５において、出力可能枚数と出力枚数との和が、割当枚数未満でない場合、つまり、出力可能枚数と出力枚数との和が、割当枚数以上である場合、印刷管理部２６０は、ステップＳ８０４へ進む。尚、このとき、印刷管理部２６０は、ステップＳ８０４において、選択された出力装置３００による、選択された複製絵画の出力枚数が割り当てられた枚数を超えることを示すメッセージ等を情報処理装置５００に通知しても良い。
【０１０１】
ステップＳ８０５おいて、出力可能枚数と出力枚数との和が、割当枚数未満である場合、印刷管理部２６０は、出力指示部２６３により、複製絵画ＩＤと対応する複製絵画データの出力指示を画像出力部２７０へ行い、画像出力部２７０によって複製絵画データを出力装置３００へ出力させる（ステップＳ８０６）。
【０１０２】
続いて、印刷管理部２６０は、管理情報更新部２６４により、管理情報記憶部２３０の管理情報を更新し（ステップＳ８０７）、処理を終了する。具体的には、管理情報更新部２６４は、出力要求に含まれる機器ＩＤと対応する管理情報の出力可能枚数から、複製絵画を出力した枚数分を減算する。
【０１０３】
このように、本実施形態によれば、契約情報に基づき、複製絵画の出力の可否を判定しているため、絵画原本の所有者の意図に反して、複製絵画が市場に出回ることを抑制できる。
【０１０４】
また、本実施形態では、絵画原本毎に、複製絵画の管理状態を示す情報を表示させることができる。
【０１０５】
図９は、複製絵画の管理状態を示す情報の表示例を示す図である。図９に示す画面９１は、例えば、サーバ装置２００のディスプレイ等に表示されても良いし、絵画原本の所有者からの表示要求を受けて、この所有者の端末等に表示されても良い。
【０１０６】
図９に示す画面９１には、絵画原本のオリジナル情報９２と、複製絵画の管理状態を示す情報９３とが表示されている。
【０１０７】
複製絵画の管理状態を示す情報９３は、複製絵画ＩＤ毎の出力条件、単価、出力可能期間、上限枚数を含む契約情報と、現在の複製絵画の出力可能枚数とを含む。尚、本実施形態の複製絵画の管理状態を示す情報９３は、現在の複製絵画の出力可能枚数の他に、出力済みの複製絵画の枚数を含んでも良い。
【０１０８】
また、複製絵画の管理状態を示す情報９３は、機器ＩＤ毎の、複製絵画の出力可能枚数と、出力済みの複製絵画の枚数とを含んでいても良い。
【０１０９】
つまり、本実施形態では、１つの絵画原本から、複数パターンの出力条件毎に生成された複製絵画データのそれぞれについて、管理情報が出力されることになる。
【０１１０】
本実施形態では、このように、オリジナル情報９２と、複製絵画の管理状態を示す情報９３と、を表示させることができるため、例えば、複製絵画の管理状態を、情報処理システム１００の管理者や絵画原本の所有者に把握させることができる。
【０１１１】
また、本実施形態では、オリジナル情報９２に、撮像データの日時と撮像場所を示す情報を含む。
【０１１２】
このため、本実施形態によれば、絵画原本に、経年による劣化が発生しており、それが絵画の風合いとして価値を生じているケース等において、複製絵画の価値を適切に評価することができる。
【０１１３】
また、本実施形態では、例えば、提携した画廊・美術館等で、定期的に絵画原本の撮像データを取得し、その撮像データを蓄積していくことで、複製絵画の購入者は、複製絵画を購入する際に、年代を特定して購入することが可能となる。
【０１１４】
また、本実施形態では、複製絵画の出力条件に応じた単価等が契約情報として設定されており、契約情報に応じて複製絵画の出力の可否を判定するため、ロイヤリティに応じた品質の複製絵画の出力を管理することができる。
【０１１５】
（第二の実施形態）
以下に図面を参照して第二の実施形態について説明する。第二の実施形態では、複製絵画データを生成する際に、複製絵画の凹凸を表現する立体情報を付与する点と、複製絵画データに、オリジナル情報を示す電子透かし情報を埋め込む点が、第一の実施形態と相違する。よって、以下の第二の実施形態の説明では、第一の実施形態との相違点について説明し、第一の実施形態と同様の機能構成には、第一の実施形態の説明で用いた符号と同様の符号を付与し、その説明を省略する。
【０１１６】
図１０は、第二の実施形態の情報処理システムのシステム構成の一例を示す図である。本実施形態の情報処理システム１００Ａは、サーバ装置２００Ａを有する。
【０１１７】
サーバ装置２００Ａは、原本絵画情報記憶部２１０、複製絵画情報記憶部２２０Ａ、管理情報記憶部２３０、情報処理部２４０Ａを有する。
【０１１８】
情報処理部２４０Ａは、画像処理部２５０Ａ、印刷管理部２６０、画像出力部２７０Ａを有する。
【０１１９】
本実施形態のサーバ装置２００Ａは、画像処理部２５０Ａにより、複製絵画データを生成する際に、出力条件として、立体情報を取得し、立体情報に応じて複製絵画の凹凸を表現する。また、本実施形態の画像処理部２５０Ａは、複製絵画データを生成する際に、透かし情報を埋め込む。
【０１２０】
画像出力部２７０Ａは、複製絵画データを出力装置３００へ出力する際に、複製絵画データの出力先となる出力装置３００に対して、この複製絵画データの出力を行った回数を示す情報を透かし情報として埋め込む。つまり、画像出力部２７０Ａは、複製絵画ＩＤで特定される複製絵画が、出力装置３００で出力された枚数を示す情報（ロット番号）を、複製絵画データに埋め込む。
【０１２１】
以下に、図１１を参照して、本実施形態の複製絵画情報記憶部２２０Ａについて説明する。図１１は、第二の実施形態の複製絵画情報記憶部の一例を示す図である。
【０１２２】
本実施形態の複製絵画情報記憶部２２０Ａに格納された複製絵画情報は、原本絵画ＩＤ毎に設けられており、情報の項目として、複製絵画ＩＤ、出力条件、透かし情報、単価、出力可能期間、上限枚数、複製絵画データを有する。
【０１２３】
本実施形態の項目「出力条件」に含まれる複数の条件は、例えば、複製絵画のサイズと、複製絵画の凹凸を示す立体情報である。立体情報とは、２次元の画像である撮像画像に対して、画素毎の高さを付与するための情報である。本実施形態では、撮像データが示す撮像画像に、画素毎の高さを示す立体情報に応じた高さを付与した複製絵画データを生成することで、凹凸が表現された複製絵画を出力することができる。
【０１２４】
立体情報は、例えば、人手による作業によって出力条件に設定されても良い。また、立体条件は、例えば、特定の絵画原本の凹凸を解析した結果として保持されていても良い。この場合、複製絵画は、この特定の絵画原本の画風と似た画風とすることができる。
【０１２５】
項目「透かし情報」の値は、例えば、原本絵画情報に含まれるオリジナル情報である。
【０１２６】
次に、図１２を参照して、本実施形態のサーバ装置２００Ａの機能について説明する。図１２は、第二の実施形態のサーバ装置の機能を説明する図である。
【０１２７】
本実施形態のサーバ装置２００Ａの情報処理部２４０Ａは、画像処理部２５０Ａ、印刷管理部２６０、画像出力部２７０Ａを有する。
【０１２８】
画像処理部２５０Ａは、撮像データ取得部２５１、画像解析部２５２、原本絵画情報生成部２５３、出力条件設定部２５４Ａ、契約情報取得部２５５、複製絵画情報生成部２５６Ａ、立体情報取得部２８１、透かし情報取得部２８２を有する。
【０１２９】
出力条件設定部２５４Ａは、出力条件受付部２５８Ａと、出力条件保持部２５９Ａとを有する。
【０１３０】
複製絵画情報生成部２５６Ａは、透かし情報取得部２８２が取得した透かし情報を埋め込んだ複製絵画データを生成する。また、複製絵画情報生成部２５６Ａは、撮像データと立体情報とに基づき、複製絵画データを生成する。
【０１３１】
出力条件受付部２５８Ａは、出力条件の１つとして、立体情報の入力を受け付ける。立体情報は、例えば、撮像データに対して高さを付与する操作によって入力されても良い。また、立体情報は、予め作成された情報として入力されても良い。この場合、例えば、立体情報は、絵画原本の作者の他の絵画等に基づき、人工知能等によって生成された情報であっても良い。
【０１３２】
出力条件保持部２５９Ａは、出力条件受付部２５８Ａが受け付けた出力条件を複製絵画情報記憶部２２０Ａに保持させる。
【０１３３】
本実施形態の立体情報取得部２８１は、複製絵画情報記憶部２２０Ａに格納された出力条件から立体情報を取得する。
【０１３４】
本実施形態の透かし情報取得部２８２は、原本絵画情報記憶部２１０に格納されたオリジナル情報を電子すかしとして複製絵画データに埋め込む透かし情報として取得する。
【０１３５】
次に、図１３を参照して、本実施形態のサーバ装置２００Ａの動作について説明する。図１３は、第二の実施形態のサーバ装置の動作を説明するフローチャートである。図１３は、画像処理部２５０Ａによる原本絵画データと複製絵画データを蓄積する処理を示している。
【０１３６】
図１３のステップＳ１３０１かせステップＳ１３０４までの処理は、図７のステップＳ７０１からステップＳ７０４までの処理と同様であるから、説明を省略する。
【０１３７】
ステップＳ１３０４において、出力条件が設定された場合、画像処理部２５０Ａは、立体情報取得部２８１により、出力条件に含まれる立体情報を取得する（ステップＳ１３０５）。
【０１３８】
続いて、画像処理部２５０Ａは、原本絵画情報記憶部２１０を参照して、透かし情報取得部２８２により、透かし情報を取得する（ステップＳ１３０６）。
【０１３９】
続いて、複製絵画情報生成部２５６Ａは、取得した立体情報に基づき凹凸が表現され、且つ、透かし情報が埋め込まれた複製絵画データを生成する（ステップＳ１３０７）。
【０１４０】
図１３のステップＳ１３０８とステップＳ１３０９の処理は、図７のステップＳ７０６とステップＳ７０７の処理と同様であるから、説明を省略する。
【０１４１】
以上のように、本実施形態によれば、複製絵画に対して絵画原本に関するオリジナル情報や、複製絵画のロット番号等を透かし情報として埋め込むことができ、複製絵画の流通をコントロールすることができる。
【０１４２】
以上、各実施形態に基づき本発明の説明を行ってきたが、上記実施形態に示した要件に本発明が限定されるものではない。これらの点に関しては、本発明の主旨をそこなわない範囲で変更することができ、その応用形態に応じて適切に定めることができる。
【符号の説明】
【０１４３】
１００、１００Ａ  情報処理システム
２００、２００Ａ  サーバ装置
２１０  原本絵画情報記憶部
２２０、２２０Ａ  複製絵画情報記憶部
２３０  管理情報記憶部
２４０、２４０Ａ  情報処理部
２５０、２５０Ａ  画像処理部
２５１  撮像データ取得部
２５２  画像解析部
２５３  原本絵画情報生成部
２５４  出力条件設定部
２５５  契約情報取得部
２５６、２５６Ａ  複製絵画情報生成部
２５８、２５８Ａ  出力条件受付部
２５９、２５９Ａ  出力条件保持部
２６０  印刷管理部
２７０  画像出力部
３００  出力装置
４００  撮像システム
５００  情報処理装置
【先行技術文献】
【特許文献】
【０１４４】
【特許文献１】特開２００２−１５７４８３号公報
【図１】
2020086951.tif 000003
【図２】
2020086951.tif 000004
【図３】
2020086951.tif 000005
【図４】
2020086951.tif 000006
【図５】
2020086951.tif 000007
【図６】
2020086951.tif 000008
【図７】
2020086951.tif 000009
【図８】
2020086951.tif 000010
【図９】
2020086951.tif 000011
【図１０】
2020086951.tif 000012
【図１１】
2020086951.tif 000013
【図１２】
2020086951.tif 000014
【図１３】
2020086951.tif 000015